(57)【要約】【課題】抗干渉性能が低い、タッチ検出スキャンのフレームレートが低い、サイズが大きい、製造工程が複雑であるという問題のうちの少なくとも１つを解決するタッチ制御ディスプレイ装置を提供する。【解決手段】本開示の複数の実施形態によると、タッチ制御ディスプレイ装置が提供される。本タッチ制御ディスプレイ装置は、第１基板と、第２基板と、第１基板と第２基板との間に配設された液晶層と、共通電極と、複数の画素単位と、共通電極の上に配設された複数のタッチ感知電極であって、二次元アレイに配置された複数のタッチ感知電極とを備える。本開示のこれら実施形態による解決策によると、ノイズを低減でき、タッチ検出スキャンのフレームレートを向上できる。【選択図】図１（ａ）
2014112436.tif 000002
【特許請求の範囲】
【請求項１】
タッチ制御ディスプレイ装置であって、
第１基板と、第２基板と、
前記第１基板と前記第２基板との間に配設された液晶層と、共通電極と、複数の画素単位と、
前記共通電極の上に配設された複数のタッチ感知電極であって、二次元アレイに配置された複数のタッチ感知電極と、
を備えたことを特徴とするタッチ制御ディスプレイ装置。
【請求項２】
前記複数のタッチ感知電極のいずれかが、
等辺多角形、ひし形、長形、円形、または楕円形であることを特徴とする請求項１に記載のタッチ制御ディスプレイ装置。
【請求項３】
前記複数のタッチ感知電極は、凹形および凸形構造であることを特徴とする請求項２に記載のタッチ制御ディスプレイ装置。
【請求項４】
前記複数のタッチ感知電極は、インジウム錫酸化物またはグラフェンで作られることを特徴とする請求項１に記載のタッチ制御ディスプレイ装置。
【請求項５】
タッチ制御チップをさらに備え、
前記タッチ制御チップは、前記複数のタッチ感知電極の各々にそれぞれワイヤを介して接続され、前記第１基板または前記第２基板の表面にチップオンガラスモードで結合されることを特徴とする請求項１に記載のタッチ制御ディスプレイ装置。
【請求項６】
前記ワイヤと前記複数のタッチ感知電極とは同じ層に配置される、または
前記ワイヤは、前記複数のタッチ感知電極とは異なる層に配置され、バイアを通して前記複数のタッチ感知電極に接続される、ことを特徴とする請求項５に記載のタッチ制御ディスプレイ装置。
【請求項７】
前記第１基板または前記第２基板の表面に結合されて前記タッチ制御チップに接続された可撓性印刷回路を、さらに備えることを特徴とする請求項５に記載のタッチ制御ディスプレイ装置。
【請求項８】
前記タッチ制御チップは、
各タッチ感知電極の自己静電容量を検出すべく、さらには自己静電容量感知二次元アレイに基づきタッチ位置を判定すべく、構成されることを特徴とする請求項５に記載のタッチ制御ディスプレイ装置。
【請求項９】
前記タッチ制御チップは、
前記複数のタッチ感知電極を１つの電圧源または電流源で駆動すべく、さらには前記複数のタッチ感知電極から感知データを受信すべく、構成された駆動／受信ユニットと、
前記感知データに基づき各タッチ感知電極の前記自己静電容量を計算すべく構成された信号処理ユニットと、
を備えることを特徴とする請求項８に記載のタッチ制御ディスプレイ装置。
【請求項１０】
前記駆動／受信ユニットは、
前記複数のタッチ感知電極を同時駆動モードで駆動すべく構成されることを特徴とする請求項９に記載のタッチ制御ディスプレイ装置。
【請求項１１】
前記感知データは、前記複数のタッチ感知電極の電圧、周波数、または電気量を表すことを特徴とする請求項９に記載のタッチ制御ディスプレイ装置。
【請求項１２】
前記電圧源または電流源は、２つ以上の周波数を有することを特徴とする請求項９に記載のタッチ制御ディスプレイ装置。
【請求項１３】
前記タッチ制御チップは、
前記複数のタッチ感知電極の全ての自己静電容量を同時に検出すべく、または前記複数のタッチ感知電極の自己静電容量を群単位で検出すべく、構成されることを特徴とする請求項８に記載のタッチ制御ディスプレイ装置。
【請求項１４】
前記タッチ制御チップは、
タッチ検出の感度および／またはダイナミックレンジを前記電圧源または電流源のパラメータによって調整すべくさらに構成され、
前記パラメータは、振幅、周波数、時系列、またはこれらのいずれかの組み合わせのうちの１つを含むことを特徴とする請求項９に記載のタッチ制御ディスプレイ装置。
【請求項１５】
前記タッチ制御ディスプレイ装置は、横電界スイッチング構造を有し、
前記複数のタッチ感知電極は前記共通電極の前記液晶層に面する側に設けられる、または、
前記タッチ制御ディスプレイ装置は、ねじれネマティック構造を有し、
前記複数のタッチ感知電極は前記共通電極の前記液晶層に面する側とは反対の側に設けられる、ことを特徴とする請求項１〜１４のいずれか１項に記載のタッチ制御ディスプレイ装置。
【発明の詳細な説明】
【技術分野】
【０００１】
関連出願の相互参照
本出願は、２０１３年８月２日に中国国家知識産権局に出願された中国特許出願第２０１３１０３３５０４１．１号に対して優先権を主張するものであり、その内容全体を参照により本願明細書に援用する。
【０００２】
本発明は、タッチ制御技術、特にタッチ制御ディスプレイ装置に関する。
【背景技術】
【０００３】
現在、静電容量式タッチスクリーンがさまざまな電子製品に幅広く用いられており、我々の仕事および生活に徐々に普及してきている。静電容量式タッチスクリーンのサイズは、次第に大型化しており、例えば、３インチからスマートフォンの６．１インチへと、タブレットの１０インチへと、大型化している。静電容量式タッチスクリーンの用途は、スマートＴＶにも及びうる。ただし、既存の静電容量式タッチスクリーンは、一般に、抗干渉性能が低い、タッチ検出スキャンのフレームレートが低い、サイズが大きい、製造工程が複雑であるという問題を有する。
【発明の概要】
【発明が解決しようとする課題】
【０００４】
したがって、本開示の目的は、上記の問題の少なくとも１つを解決しうるタッチ制御ディスプレイ装置を提供することである。
【課題を解決するための手段】
【０００５】
本開示の各実施形態によるタッチ制御ディスプレイ装置は、
第１基板と、第２基板と、
前記第１基板と前記第２基板との間に配設された液晶層と、共通電極と、複数の画素単位と、
共通電極の上に配設された複数のタッチ感知電極であって、二次元アレイに配置され、共通電極の液晶層に面する側に設けられた複数のタッチ感知電極と、
を含む。
【０００６】
これらタッチ感知電極はいずれも、等辺多角形、ひし形、長形、円形、または楕円形であってもよい。
【０００７】
場合によっては、これらタッチ感知電極は凹形および凸形構造である。
【０００８】
これら複数のタッチ感知電極は、インジウム錫酸化物（ＩＴＯ：Ｉｎｄｉｕｍ  Ｔｉｎ  Ｏｘｉｄｅ）製またはグラフェン製であってもよい。
【０００９】
好ましくは、本タッチ制御ディスプレイ装置は、
タッチ制御チップであって、複数のタッチ感知電極の各々にそれぞれワイヤを介して接続され、第１基板または第２基板の表面にチップオングラスモードで結合されたタッチ制御チップを、さらに含む。
【００１０】
好ましくは、これらワイヤと複数のタッチ感知電極とは同じ層に配置される、または、
これらワイヤは複数のタッチ感知電極とは異なる層に配置され、複数のバイアを通して複数のタッチ感知電極に接続される。
【００１１】
本タッチ制御ディスプレイ装置は、
可撓性印刷回路であって、第１基板または第２基板の表面に結合され、タッチ制御チップに接続された可撓性印刷回路を、さらに備えうる。
【００１２】
好ましくは、タッチ制御チップは、
各タッチ感知電極の自己静電容量を検出すべく、さらには自己静電容量感知二次元アレイに基づきタッチ位置を判定すべく、構成される。
【００１３】
タッチ制御チップは、
複数のタッチ感知電極を１つの電圧源または電流源で駆動すべく、さらにはこれらタッチ感知電極から感知データを受信すべく、構成された駆動／受信ユニットと、
この感知データに基づき各タッチ感知電極の自己静電容量を計算すべく構成された信号処理ユニットと、
を備えうる。
【００１４】
好ましくは、駆動／受信ユニットは、これらタッチ感知電極を同時駆動モードで駆動すべく構成される。
【００１５】
この感知データは、これらタッチ感知電極の電圧、周波数、または電気量を表しうる。
【００１６】
電圧源または電流源は、２つ以上の周波数を有しうる。
【００１７】
好ましくは、タッチ制御チップは、
全てのタッチ感知電極の自己静電容量を同時に検出すべく、またはこれらタッチ感知電極の自己静電容量を群単位で検出すべく、構成される。
【００１８】
タッチ制御チップは、
タッチ検出の感度および／またはダイナミックレンジを電圧源または電流源のパラメータによって調整すべくさらに構成されうる。
【００１９】
これらパラメータは、振幅、周波数、時系列、またはこれらのいずれかの組み合わせのうちの１つを含む。
【００２０】
好ましくは、タッチ制御ディスプレイ装置は、横電界スイッチング構造を有し、
複数のタッチ感知電極は共通電極の液晶層に面する側に設けられる、または、
タッチ制御ディスプレイ装置はねじれネマティック構造を有し、
複数のタッチ感知電極は共通電極の液晶層に面する側とは反対の側に設けられる。
【発明の効果】
【００２１】
本開示の各実施形態による解決策においては、二次元アレイに配置された複数のタッチ感知電極が液晶表示部の共通電極の表面に配設されるので、複数の電極でのノイズ蓄積によってエラーが引き起こされるという従来技術の問題は、リアルマルチタッチを実現する前提条件下において解決される。
【００２２】
本開示の各実施形態による解決策では、電源ノイズによって引き起こされる影響が大幅に除去されうるとともに、無線周波数（ＲＦ：Ｒａｄｉｏ  Ｆｒｅｑｕｅｎｃｙ）の干渉と液晶表示部などからの干渉とがさらに低減されうる。
【００２３】
さらに、本開示の各実施形態による解決策では、複数のタッチ感知電極が同時に検出されうる。したがって、１回のタッチ検出スキャンの時間が短縮され、タッチ検出スキャンのフレームレートが向上される。
【図面の簡単な説明】
【００２４】
【図１（ａ）】本開示の実施形態１によるタッチ制御ディスプレイ装置の略側面図である。
【図１（ｂ）】本開示の実施形態１によるタッチ制御ディスプレイ装置の略側面図である。
【図１（ｃ）】本開示の実施形態１によるタッチ感知電極層の平面図を示す。
【図２（ａ）】本開示の実施形態２によるタッチ制御ディスプレイ装置の略側面図である。
【図２（ｂ）】本開示の実施形態２によるタッチ制御ディスプレイ装置の略側面図である。
【図３】本開示の実施形態３によるタッチ制御ディスプレイ装置の概略図である。
【発明を実施するための形態】
【００２５】
本開示の複数の実施形態による技術的解決策のより深い理解のため、上記図面を参照して複数の実施形態を説明する。これらの図面は本発明の複数の実施形態の一部に過ぎないことは言うまでもない。これらの図面に基づき、当業者は、発明に向けた努力なしに、他の図面を得ることができる。
【００２６】
本開示の技術的解決策が当業者により深く理解されるように、本開示の複数の実施形態における技術的解決策を図面とともに以下に説明する。記載の実施形態は、本発明の全ての実施形態ではなく、一部の実施形態であるに過ぎないことは言うまでもない。当業者が、発明に向けた努力なしに、本開示のこれら実施形態に基づき得た他の実施形態はいずれも本発明の範囲に含まれるものとする。
【００２７】
説明の便宜上、装置の構造を示す断面図は部分的に拡大されており、原寸に比例して描かれていない。これら図面は例示であり、本発明の範囲を限定するものではない。さらに、実際の製造工程においては、三次元サイズ、すなわち、長さ、幅、および奥行き、が考慮されるべきである。
【００２８】
［実施形態１］
本開示の実施形態１によると、タッチ制御ディスプレイ装置が提供される。
【００２９】
本タッチ制御ディスプレイ装置は、
第１基板１１と、第２基板１３と、
第１基板１１と第２基板１３との間に配設された液晶層１５と、共通電極１７と、複数の画素単位と、
共通電極１７の上に配設された複数のタッチ感知電極１９であって、二次元アレイに配置された複数のタッチ感知電極１９と、
を含む。
【００３０】
本タッチ制御ディスプレイ装置は、横電界スイッチング（ＩＰＳ：Ｉｎ−Ｐｌａｎｅ  Ｓｗｉｔｃｈｉｎｇ）構造を有しうる。この場合、複数のタッチ感知電極１９は共通電極１７の液晶層１５に面する側に設けられる。あるいは、本タッチ制御ディスプレイ装置は、ねじれネマティック（ＴＮ：Ｔｗｉｓｔｅｄ  Ｎｅｍａｔｉｃ）構造を有しうる。この場合、複数のタッチ感知電極１９は共通電極１７の液晶層１５に面する側とは反対の側に設けられる。
【００３１】
図１（ａ）は、本開示の実施形態１によるタッチ制御ディスプレイ装置の１つの例の略側面図である。ここで、タッチ制御ディスプレイ装置はＩＰＳ構造を有する。
【００３２】
図１（ｂ）は、本開示の実施形態１によるタッチ制御ディスプレイ装置の別の例の略側面図である。ここで、タッチ制御ディスプレイ装置はＴＮ構造を有する。
【００３３】
共通電極１７は、タッチ制御ディスプレイ装置の液晶表示部に属する。共通電極１７は、共通電圧（Ｖｃｏｍ）によって駆動される。この共通電極１７は、スクリーン上の複数の異なる領域において光束を制御するように、複数の異なる領域において液晶材料を横切る電場を、さまざまな画素単位との組み合わせで、発生させる。
【００３４】
一例として、図１（ａ）および図１（ｂ）に示されているタッチ制御ディスプレイ装置は、カラーフィルタ３０をさらに含む。各画素単位は、それぞれ赤、緑、および青に対応する３つの副画素単位を含む。各副画素単位は薄膜トランジスタ３２を１つ含む。
【００３５】
図１（ｃ）は、本開示の実施形態１によるタッチ制御ディスプレイ装置におけるタッチ感知電極層の一例を示す。これらタッチ感知電極１９は、等辺多角形、ひし形、長形、円形、または楕円形であってよい。これらタッチ感知電極１９はいずれも、三角形または不規則形状であってもよい。また、各タッチ感知電極１９の縁部は、凹形および凸形構造であってよい。好ましくは、タッチ感知電極１９は、インジウム錫酸化物（ＩＴＯ：Ｉｎｄｉｕｍ  Ｔｉｎ  Ｏｘｉｄｅ）製またはグラフェン製であってよい。
【００３６】
これらタッチ感知電極１９は同じ、または異なる、形状にしうることを当業者は理解するはずである。例えば、中央部のタッチ感知電極１９をひし形にし、縁部のものを三角形にする。さらに、これらタッチ感知電極１９は同じ、または異なる、形状にしうる。例えば、内側部分のタッチ感知電極１９を相対的に大きくし、縁部のものを相対的に小さくすると、縁部におけるタッチ精度および配線に有利である。
【００３７】
既存のインセル型タッチ制御ディスプレイ装置において、タッチ制御部は複数の行電極と複数の列電極とを含む。これら行電極／列電極は、タッチスクリーンの一方側から反対側まで延在するため、占有範囲が長く、ノイズが各行／各列に蓄積される。例えば、複数の指が同じ行または列に触れると、これらの指からのノイズがその行または列に蓄積されるため、結果としてノイズが増加する。
【００３８】
これに対して、本開示の本実施形態によるタッチ制御ディスプレイ装置においては、複数のタッチ感知電極１９が二次元アレイに配置され、各電極はこのアレイ内の一ユニットである。このアレイの各行または列はいくつかのユニットから成り、これらユニット間には物理的接続がないので、ノイズが蓄積されえない。
【００３９】
したがって、本開示の本実施形態によるタッチ制御ディスプレイ装置においては、最大ノイズが低減され、信号対ノイズ比が向上する。
【００４０】
［実施形態２］
本開示の実施形態２によるタッチ制御ディスプレイ装置は、タッチ制御チップ２１をさらに備えうる。タッチ制御チップ２１は、複数のタッチ感知電極１９の各々にそれぞれワイヤを介して接続され、さらにタッチ制御チップ２１は第１基板１１または第２基板１３の表面にチップオングラス（ＣＯＧ：Ｃｈｉｐ−ｏｎ−Ｇｌａｓｓ）モードで結合される。
【００４１】
図２（ａ）は、本開示の実施形態２によるタッチ制御ディスプレイ装置の一例の略側面図である。ここで、タッチ制御ディスプレイ装置はＩＰＳ構造を有する。
【００４２】
図２（ｂ）は、本開示の実施形態２によるタッチ制御ディスプレイ装置の別の例の略側面図である。ここで、タッチ制御ディスプレイ装置はＴＮ構造を有する。
【００４３】
本実施形態によると、共通電極１７とタッチ感知電極１９との間に絶縁層２３が配設される。また、タッチ制御チップ２１と基板との間に異方性導電フィルム（ＡＣＦ：Ａｎｉｓｏｔｒｏｐｉｃ  Ｃｏｎｄｕｃｔｉｖｅ  Ｆｉｌｍ）２５が配設されうる。
【００４４】
各タッチ感知電極１９がワイヤを介してタッチ制御チップ２１に接続されるので、タッチ制御チップ２１のピン数が大幅に増加しうる。従来のパッケージングに起因する問題を回避するために、タッチ制御チップ２１は基板の表面にＣＯＧモードで結合される。
【００４５】
従来のパッケージングにおいては、数百のピンのためにパッケージング構造が複雑になり、例えば高価なボールグリッドアレイ（ＢＧＡ：Ｂａｌｌ  Ｇｒｉｄ  Ａｒｒａｙ）が用いられている。さらに、ＢＧＡは印刷回路板（ＰＣＢ：Ｐｒｉｎｔｅｄ  Ｃｉｒｃｕｉｔ  Ｂｏａｒｄ）または可撓性印刷回路（ＦＰＣ：Ｆｌｅｘｉｂｌｅ  Ｐｒｉｎｔｅｄ  Ｃｉｒｃｕｉｔ）３１の表面にのみ作製されうる。したがって、タッチ制御チップ２１を各タッチ感知電極１９に接続するには、ＦＰＣ３１を介する必要がある。
【００４６】
好ましくは、タッチ制御チップ２１を各タッチ感知電極１９に接続するためのワイヤは、タッチ感知電極１９と同じ層に配置される。あるいは、これらワイヤはタッチ感知電極１９の層とは異なる層に配置され、バイアを通して各タッチ感知電極１９に接続される。タッチ感知電極１９は、導電層（インジウム錫酸化物などの金属酸化物、または金属）を基板の表面にエッチングすることによって形成され、タッチ制御チップ２１も同じ基板の表面に配設される。これらタッチ感知電極１９とタッチ制御チップ２１との間の接続ワイヤは１回のエッチング処理によって実現可能であるので、製造工程が簡略化される。
【００４７】
一般に、これらワイヤは、できる限り短く一様である。また、この配線の範囲は、安全距離が保証される条件下において、できる限り狭いため、より大きな空間がタッチ感知電極１９用に残される。
【００４８】
必要であれば、各タッチ感知電極１９をワイヤによってバスに接続しうる。これらワイヤはバスによって直接、または適切な順位付け後に、タッチ制御チップ２１に接続可能である。大型タッチスクリーンには多数のタッチ感知電極１９が存在しうる。この状況においては、全てのタッチ感知電極１９を制御させるべく単一のタッチ制御チップ２１を構成することができる。あるいは、スクリーン上の区画化された複数の異なる領域にあるタッチ感知電極１９を制御させるべく複数のタッチ制御チップ２１を構成することもでき、これらタッチ制御チップ２１をクロックと同期させることもできる。ここで、バスをいくつかのバス群に分割して、それぞれ異なるタッチ制御チップ２１に接続することもできる。各タッチ制御チップ２１は、同じ数または異なる数のタッチ感知電極１９を制御しうる。
【００４９】
本実施形態による他の構成要素の説明は、他の複数の実施形態を参照しうるので、ここでは述べない。
【００５０】
［実施形態３］
本開示の実施形態３によるタッチ制御ディスプレイ装置において、タッチ制御チップ２１は、各タッチ感知電極１９の自己静電容量を検出すべく、さらには自己静電容量感知二次元アレイに基づきタッチ位置を判定すべく、構成される。
【００５１】
一例として、各タッチ感知電極１９の自己静電容量は、タッチ感知電極１９のアースに対する静電容量でもよい。
【００５２】
好ましくは、タッチ制御チップ２１は、
複数のタッチ感知電極１９を１つの電圧源または電流源で駆動すべく、さらにはこれらタッチ感知電極１９から感知データを受信すべく、構成された駆動／受信ユニット４２と、
この感知データに基づき各タッチ感知電極１９の自己静電容量を計算すべく構成された信号処理ユニット４４と、
を含む。
【００５３】
図３は、本開示の実施形態３によるタッチ制御ディスプレイ装置の概略図である。
【００５４】
必要であれば、図３に示されているタッチ制御ディスプレイ装置は可撓性印刷回路（ＦＰＣ：Ｆｌｅｘｉｂｌｅ  Ｐｒｉｎｔｅｄ  Ｃｉｒｃｕｉｔ）３１をさらに備える。この場合、ＦＰＣ３１は第１基板１１または第２基板１３の表面に結合される。ＦＰＣ３１はタッチ制御チップ２１をホスト４６に接続する。図中、符号４０はメモリである。
【００５５】
本実施形態による他の構成要素の説明は、他の複数の実施形態を参照しうるので、ここでは述べない。
【００５６】
［実施形態４］
本開示の実施形態４によるタッチ制御ディスプレイ装置において、タッチ制御チップ２１は、全てのタッチ感知電極１９の自己静電容量を同時に検出すべく、またはこれらタッチ感知電極１９の自己静電容量を群単位で検出すべく、構成される。
【００５７】
従来技術においては、これらタッチ感知電極は複数の行電極と複数の列電極とを含み、プログレッシブスキャンが採用されており、各フレームのタッチ検出時間が長い。
【００５８】
この欠点は、特に、インセル型タッチ制御ディスプレイ装置に悪影響をもたらす。動作中の液晶表示部と動作中のタッチ制御部との間の相互干渉を減らすために、液晶表示部の動作中はタッチ制御部の動作が停止され、タッチ制御部の動作中は液晶表示部の動作が停止される。
【００５９】
例えば、動作周波数が６０Ｈｚ（すなわちフレーム当たり１６．７ｍｓ）のインセル型タッチ制御ディスプレイ装置は、一般に、表示用のスキャン時間として１０〜１２ｍｓを必要とする。したがって、タッチ検出用のスキャン時間は極めて短く、既存のインセル型タッチ制御ディスプレイ装置の信号対ノイズ比を低くしている。
【００６０】
ただし、本開示の各実施形態によるタッチ制御ディスプレイ装置においては、各電極がタッチ制御チップ２１に接続される。並行スキャンモードを用いることによって、タッチ検出用のスキャン時間は、理論上、従来技術における１行の検出時間に等しくなりうる。従来技術における信号対ノイズ比も達成されうる。
【００６１】
例えば、１６行と２８列とを有するインセル型タッチ制御ディスプレイ装置の場合、各行の検出時間がＴであると想定すると、既存構造のスキャンには１６Ｔが費やされる。ただし、本開示の各実施形態の構造によると、各フレームのタッチ検出の最短時間は１Ｔに過ぎない。
【００６２】
本実施形態による他の構成要素の説明は、他の複数の実施形態を参照しうるので、ここでは述べない。
【００６３】
［実施形態５］
実施形態５によるタッチ制御ディスプレイ装置は、表示制御回路をさらに含む。本タッチ制御ディスプレイ装置は、第１ステップを繰り返す。このステップでは、表示制御回路が１つのフレームをスキャンし、次にタッチ制御チップ２１に設けられたタッチ制御回路が１つのフレームをスキャンする。すなわち、最初に１つのフレームに対する表示スキャンが行われ、次に１つのフレームに対するタッチ検出スキャンが行われる。これが何回も繰り返される。
【００６４】
あるいは、タッチ制御ディスプレイ装置は第２ステップを繰り返す。このステップでは、タッチ制御回路が１つのフレームをスキャンし、次に表示制御回路が１つのフレームをスキャンする。すなわち、最初に１つのフレームに対するタッチ検出スキャンが行われ、次に１つのフレームに対する表示スキャンが行われる。これが何回も繰り返される。
【００６５】
さらに、各フレームの表示スキャンが複数のセグメントに分割されうる。この場合、タッチ検出スキャンはセグメントごとに行われる。この方法によると、タッチ検出の頻度は、表示の頻度より数倍高い。したがって、タッチ検出のフレームレートが増大する。
【００６６】
換言すると、表示制御回路によって行われる各フレームのスキャンが複数のセグメントに分割され、タッチ制御回路は、表示制御回路によって行われるスキャンの前後およびセグメント間ごとに、スキャンを行う。
【００６７】
本実施形態による他の構成要素の説明は、他の複数の実施形態を参照しうるので、ここでは述べない。
【００６８】
［実施形態６］
本開示の実施形態６によるタッチ制御ディスプレイ装置において、駆動／受信ユニット４２は全てのタッチ感知電極１９を同時駆動モードで駆動すべく構成される。
【００６９】
具体的には、この同時駆動は、以下のＡ〜Ｄまたはこれらのいずれかの組み合わせのうちの１つを含みうる。
【００７０】
Ａ：駆動／受信ユニット４２は、各タッチ感知電極１９の駆動時に、このタッチ感知電極１９に印加された信号に基づき、残りのタッチ感知電極１９を同時に駆動すべく構成される。
【００７１】
Ｂ：駆動／受信ユニット４２は、各タッチ感知電極１９の駆動時に、このタッチ感知電極１９に印加された信号に基づき、このタッチ感知電極１９の周囲にあるタッチ感知電極１９を同時に駆動すべく構成される。
【００７２】
Ｃ：駆動／受信ユニット４２は、各タッチ感知電極１９の駆動時に、このタッチ感知電極１９に印加された信号に基づき、共通電極１７を同時に駆動すべく構成される。
【００７３】
Ｄ：駆動／受信ユニット４２は、各タッチ感知電極１９の駆動時に、このタッチ感知電極１９に印加された信号に基づき、対応する画素単位内のデータ線を同時に駆動すべく構成される。
【００７４】
各タッチ感知電極１９はワイヤを介してタッチ制御チップ２１に接続されるので、ワイヤ数が多く、面積が限られている場合は配線幅が極めて狭い。したがって、抵抗が増し、検出信号の品質が損なわれる。同時駆動モードでは、検出される電極の電圧と検出されない電極の電圧との差が小さい。これは、検出される電極の静電容量を減らすために好都合であり、水滴に起因する誤タッチを防止するためにも好都合である。
【００７５】
本実施形態による他の構成要素の説明は、他の複数の実施形態を参照しうるので、ここでは述べない。
【００７６】
［実施形態７］
本開示の実施形態７によるタッチ制御ディスプレイ装置において、感知データは、タッチ感知電極の電圧、周波数、または電気量を表しうる。
【００７７】
必要であれば、電圧源または電流源は２つ以上の周波数を有しうる。
【００７８】
必要であれば、タッチ制御チップ２１は、タッチ検出の感度またはダイナミックレンジを電圧源または電流源のパラメータによって調整すべくさらに構成されうる。これらパラメータは、振幅、周波数、時系列、またはこれらのいずれかの組み合わせのうちの１つを含む。
【００７９】
本実施形態による他の構成要素の説明は、他の複数の実施形態を参照しうるので、ここでは述べない。
【００８０】
［実施形態８］
本開示の実施形態８によるタッチ制御ディスプレイ装置においては、現フレームのデータが無効な場合（ノイズの極性と駆動源の極性とが反対であると、有効信号が弱まりうる。この場合、弱まった有効信号が検出不能であると、現フレームのデータが無効になる）、現フレームのデータは複数フレームのデータによって回復されうる。タッチ検出のスキャン頻度は実際に必要なレポートレートより高いため、複数フレームのデータの処理によって通常のレポートレートが損なわれえないことを当業者は理解するはずである。
【００８１】
同様に、ノイズがシステムのダイナミックレンジを大幅に超えない場合も、複数フレームのデータによって現フレームの回復が可能であるため、正しいタッチ位置を得ることができる。このフレーム間処理という方法は、ＲＦ干渉および液晶表示部など他のノイズ源からの干渉にも適用可能である。
【００８２】
本明細書の各実施形態においては他の実施形態との違いが強調されており、各実施形態の同じ、または同様の、部分は互いに参照可能である。
【００８３】
開示された各実施形態の上記説明に基づき、当業者は本発明を実施または応用しうる。当業者には各実施形態のさまざまな変更が明らかである。本願明細書で示唆されている全般的原理は、本発明の精神または範囲から逸脱することなく、他の複数の実施形態で実現可能である。したがって、本発明は、本願明細書に開示されている実施形態に限定されず、本願明細書に開示されている新規機能および原理に従った最も広い範囲を有するものとする。
【符号の説明】
【００８４】
１１  第１基板
１３  第２基板
１５  液晶層
１７  共通電極
１９  タッチ感知電極
２１  タッチ制御チップ
２３  絶縁層
２５  異方性導電フィルム（ＡＣＦ）
３０  カラーフィルタ
３１  可撓性印刷回路（ＦＰＣ）
３２  薄膜トランジスタ
４０  メモリ
４２  駆動／受信ユニット
４４  信号処理ユニット
４６  ホスト
【図１（ａ）】
2014112436.tif 000003
【図１（ｂ）】
2014112436.tif 000004
【図１（ｃ）】
2014112436.tif 000005
【図２（ａ）】
2014112436.tif 000006
【図２（ｂ）】
2014112436.tif 000007
【図３】
2014112436.tif 000008